(57)【要約】【課題】味噌等の内容物を収容した箱形の軟質容器の上面を除いた外側に装着し、軟質容器を収納すると共に、軟質容器の出し入れが容易で、かつ軟質容器が持ち易く、更に外部から物が当たった時に軟質容器を損傷から保護すると共に、内容物に関しての広告等の表示スペースを十分に確保できる簡易包装用紙箱とする。【解決手段】内容物Ｂを収容した箱形の軟質容器Ａの上面を除いた外側に装着し、軟質容器Ａを収納する無蓋の紙箱であって、上面を開放口１とする有底角筒状の紙箱本体１の側壁３上端に連設して、開放口２の内側下方へ傾斜した係止片４を屈曲形成する。係止片４が復元力で紙箱本体１の内方に向け付勢されると共に、軟質容器Ａの収納時に係止片４が軟質容器Ａの側壁に係止する。紙箱本体１の側壁３に内容物Ｂに関しての表示５を施す。【選択図】図３
0003098004.tif 000002
【実用新案登録請求の範囲】
【請求項１】
内容物を収容した箱形の軟質容器の上面を除いた外側に装着し、軟質容器を収納する無蓋の紙箱であって、この紙箱は上面を開放口とする有底角筒状の紙箱本体の側壁上端に連設して、開放口の内側下方へ傾斜した係止片が屈曲形成され、この係止片が復元力で紙箱本体の内方に向け付勢されると共に、軟質容器の収納時に係止片は軟質容器の側壁に係止することを特徴とする簡易包装用紙箱。
【請求項２】
係止片は少なくとも紙箱本体の一対の対向側壁に設けられていることを特徴とする請求項１記載の簡易包装用紙箱。
【請求項３】
紙箱本体の側壁に内容物に関しての表示が施されていることを特徴とする請求項１又は２記載の簡易包装用紙箱。
【考案の詳細な説明】
【０００１】
【考案の属する技術分野】
本考案は、味噌等の内容物を収容した箱形の軟質容器の上面を除いた外側に装着し、軟質容器を収納する簡易包装用紙箱に関するものである。
【０００２】
【従来の技術】
味噌や加工食料品等を収容した箱形の軟質容器は袋状のものと異なり、内容物を別の容器に入れ替えずにそのまま使用することもでき、かつ容器を破棄する場合は簡単に潰すことができ、非常に便利なものである。
しかし、この軟質容器は内容物が形の固定しないものや軟らかいものが多く、容器を掴むと凹んで変形し、持ち難いと共に固い物や尖った物が当たると損傷し易い問題点を有している。
又、この容器は内容物が外側から視認し易いように、側壁への内容物に関しての広告は最少限のものとなつている。
【０００３】
軟質容器のこのような問題点を解消するには、軟質容器を包装用紙箱に収納すれば良いのであるが、一般に包装用紙箱は一面を開放口とする中空の箱体で、差し込み片を先端に備えた蓋板等を開放口に設けてあるため、容器の出し入れには蓋板の開け閉めが必要で面倒である。
【０００４】
そこで、簡単に収納物品の出し入れが容易に行える包装用紙箱として、特開２００１ー３４１７３１の紙製包装用箱が提案されている。
この紙製包装用箱は、両側を開放口とする四角形の筒体を箱本体とし、収納物品を筒内に支持する係止片を開放口の内側に折り込み又は折り込み戻し可能に形成したものである。
そして、収納物品を収納する時は係止片を折り込んで係止片で支持し、取り出し時は係止片を折り込み戻して収納物品を出し入れするものである。
【０００５】
【考案が解決しようとする課題】
上記、従来の紙製包装用箱は蓋板は存在しないが、同じ形状を有する物品を複数個重ねて収納梱包するもので、本考案のように内容物を収容した軟質容器を対象としたものではないと共に、収納物品の出し入れには係止片の折り込み及び係止片の折り込み戻しの操作を必要とする。
【０００６】
上記点より本考案は、味噌等の内容物を収容した箱形の軟質容器の上面を除いた外側に装着し、軟質容器を収納すると共に軟質容器の出し入れが容易で、かつ軟質容易が持ち易く、更に外部から物が当たった時に軟質容器を損傷から保護すると共に、内容物に関しての広告等の表示スペースを十分に確保できる簡易包装用紙箱を提供しようとするものである。
【０００７】
【課題を解決するための手段】
上記課題を解決するため請求項１の本考案簡易包装用紙箱は、内容物を収容した箱形の軟質容器の上面を除いた外側に装着し、軟質容器を収納する無蓋の紙箱であって、この紙箱は上面を開放口とする有底角筒状の紙箱本体の側壁上端に連設して、開放口の内側下方へ傾斜した係止片が屈曲形成され、この係止片が復元力で紙箱本体の内方に向け付勢されると共に、軟質容器の収納時に係止片は軟質容器の側壁に係止することを特徴とするものである。
【０００８】
このような構成とすることにより、軟質容器への紙箱本体の装着は、上面の開放口から内容物を収容した軟質容器を収納すれば、紙箱本体の側壁上端に連設して、開放口の内側下方へ傾斜した係止片が屈曲形成されていることにより、軟質容器はこの係止片の復元力の付勢に抗して収納されるが、収納状態は係止片が復元力で軟質容器の側壁を圧して係止するため、軟質容器は紙箱本体内で安定した状態で保持され、人手により取り出さない限り抜脱することはない。
このように、軟質容器の外側に容易に紙箱本体が装着できると共に、軟質容器の取り出しも引き抜くだけでよく、出し入れが容易である。
【０００９】
又、軟質容器は紙箱本体に収納されているので、紙箱本体と共に持てば強度も増し、しっかりして持ち易くなると共に、外部から固い物や尖った物が当たっても軟質容器は損傷から保護される。
【００１０】
次に、請求項２記載の本考案簡易包装用紙箱は、請求項１の簡易包装用紙箱において、係止片は少なくとも紙箱本体の一対の対向側壁に設けられていることを特徴とするものである。
【００１１】
このような構成としても請求項１と同様の機能を有する。
【００１２】
次に、請求項３記載の本考案簡易包装用紙箱は、請求項１又は２の簡易包装用紙箱において、紙箱本体の側壁に内容物に関しての表示が施されていることを特徴とするものである。
【００１３】
このような構成とすることにより、通常、軟質容器にシール等の貼付で行われる内容物に関しての広告、説明等を印刷により表示することができ、シールに比べ多くのスペースが確保される。
【００１４】
【考案の実施の形態】
以下、本考案の一実施の形態を図面に基づき説明する。
図１は本考案簡易包装用紙箱の一実施の形態を示す斜視図、図２は同上の使用状態を示す斜視図、図３は図２の断面図である。
【００１５】
本考案簡易包装用紙箱は厚紙を基材とし、紙箱本体１は上面を開放口２とする断面が略方形の有底筒状に形成された無蓋の紙箱である。
この紙箱本体１は、軟質プラスチック等の軟質材で薄く形成された断面が略方形の箱形の軟質容器Ａの上面を除いた外側に装着し、軟質容器Ａを内部に収納する。
軟質容器Ａは透明体で上面が開口し、開口部に蓋板を有した通常の構成のものである。そして、軟質容器Ａの内部に内容物Ｂとして味噌やその他加工した食料品等が収容される。
【００１６】
又、紙箱本体１は四方の側壁３の上端に連設して、開放口２の内側下方へ傾斜した係止片４がそれぞれ屈曲形成されている。
この係止片４は先方が屈曲部を基点として復元力で紙箱本体１の内方に向け付勢され、これにより紙箱本体１内に収納された軟質容器Ａは、その側壁を係止片４により圧せられ、紙箱本体１内で安定した状態で保持される。
したがって、紙箱本体１は軟質容器Ａの側壁に係止片４が圧接するのに最も適した形状に形成される。
【００１７】
次に、軟質容器Ａの紙箱本体１内への収納は、開放口２より軟質容器Ａに挿し入れると、軟質容器Ａは係止片４の復元力の付勢に抗して収納され、収納後は係止片４によりしっかりと装着される。
又、軟質容器Ａを紙箱本体１から取り出す時は、軟質容器Ａの上部を掴んで引き出せば容易に取り出しが可能であるが、軟質容器Ａの上部を掴んで軟質容器Ａを持ち上げただけでは係止片４が圧接しているため、紙箱本体１は外れることがなく装着している。
【００１８】
又、紙箱本体１の側壁３に内容物Ｂに関しての広告や説明等の表示５が施されている。勿論、図柄等を表すこともできる。
表示５は四方の各側壁３に表示可能で、印刷によるのが好ましいが、内容物Ｂに関しての広告や説明等を表示したシールを貼付することもできる。
【００１９】
次に、図４は上面を開放口２とした断面が略方形の有底筒状に形成された紙箱本体１の一方の対向する側壁３にのみ係止片４を設けた場合を示したものである。これは内容物Ｂが比較的軽量なものに適している。
【００２０】
以上、本考案を実施の形態に基づき具体的に説明したが、本考案は上記実施形態に限定されるものではない。
【００２１】
【考案の効果】
本考案簡易包装用紙箱によれば、蓋板がないので内容物を収容した軟質容器の出し入れが容易で、店頭等でお客が内容物を確認したい時は簡単に軟質容器を取り出して確認可能である。
又、収納状態は紙箱本体の係止片が復元力で軟質容器の側壁に圧接しているため、人手により取り出さない限り抜脱することはない。
又、軟質容器を紙箱本体と共に持てば、強度も増し、掴んでも凹んだり形崩れがしないので持ち易いと共に、外部から固い物や尖った物が当たっても軟質容器は損傷から保護される。
【００２２】
又、軟質容器に紙箱本体が装着されていることで、従来品と形態的に差別化が図れ、高給感を演出できると共に、紙箱本体の側壁に印刷が可能であるため、内容物に関しての広告、説明等の表示スペースを十分に確保でき、宣伝効果が大きい。
更に、紙箱本体は蓋板がなく簡単な構成であるため、コスト的にも安価なものとなる。
【図面の簡単な説明】
【図１】本考案簡易包装用紙箱の一実施の形態を示す斜視図である。
【図２】本考案簡易包装用紙箱の使用状態を示す斜視図である。
【図３】図２の断面図である。
【図４】本考案簡易包装用紙箱の他の実施の形態を示す斜視図である。
【符号の説明】
１　紙箱本体
２　開放口
３　側壁
４　係止片
５　表示
Ａ　軟質容器
Ｂ　内容物
【図１】
0003098004.tif 000003
【図２】
0003098004.tif 000004
【図３】
0003098004.tif 000005
【図４】
0003098004.tif 000006